【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
生体内に投入可能なカプセル型医療装置を備えたカプセル型医療装置システムにおいて、
前記カプセル型医療装置システムが、前記カプセル型医療装置の生体内での位置を検出する位置検出手段と、前記カプセル型医療装置の外表面近傍に設けられ、生体組織に電気刺激を与える電極と、前記電極に流す電流を制御する制御手段とを備え、
前記位置検出手段にて検出された位置情報に応じて、前記電極に流す電流を前記制御手段が制御することを特徴とするカプセル型医療装置システム。
【請求項２】
請求項１に記載のカプセル型医療装置システムにおいて、
前記カプセル型医療装置が、生体情報を取得する取得手段を備え、
前記取得手段で取得した生体情報を用いて、前記位置検出手段が前記カプセル型医療装置の生体内での位置を判断することを特徴とするカプセル型医療装置システム。
【請求項３】
請求項２に記載のカプセル型医療装置システムにおいて、
前記取得手段が、生体内を撮像する撮像手段であり、
前記位置検出手段が、前記撮像手段で取得した画像を基に、前記カプセル型医療装置の生体内での位置を検出することを特徴とするカプセル型医療装置システム。
【請求項４】
請求項１に記載のカプセル型医療装置システムにおいて、
前記カプセル型医療装置システムが、生体外に設置する体外装置を備え、
前記カプセル型医療装置と前記体外装置の、少なくともいずれか一方に物理量を発する発信部を備え、他方に前記発信部から発せられた物理量を検知する検知部を備え、
前記位置検出手段が、前記検知部が検知した物理量を用いて前記カプセル型医療装置の生体内での位置を検出することを特徴とするカプセル型医療装置システム。
【請求項５】
請求項１に記載のカプセル型医療装置システムにおいて、
前記カプセル型医療装置システムが、生体外に設置する体外装置を備え、
前記カプセル型医療装置が、体内加速度センサを備え、
前記体外装置が、体外加速度センサを備え、
前記位置検出手段が、前記体内加速度センサと前記体外加速度センサの差分により、前記カプセル型医療装置の生体内での位置を検出することを特徴とするカプセル型医療装置システム。
【請求項６】
請求項１に記載のカプセル型医療装置システムにおいて、
前記位置検出手段が、設定部を備え、
前記設定部に、生体内で前記カプセル型医療装置が目的部位に達するまでに必要なパラメータが予め設定されていることを特徴とするカプセル型医療装置システム。
【請求項７】
請求項１から６のいずれか１項に記載のカプセル型医療装置システムにおいて、
前記カプセル型医療装置が、生体組織に密着するように拡張又は収縮可能なバルーンを備え、
前記電極が、前記バルーンの外表面に設けられ、
前記制御手段が、前記位置情報に基づいて前記バルーンを拡張又は収縮させることを特徴とするカプセル型医療装置システム。
【請求項８】
請求項１から７のいずれか１に記載のカプセル型医療装置システムにおいて、
前記制御手段が、前記位置情報に基づいて、前記電極への電流の供給又は停止を制御することを特徴とするカプセル型医療装置システム。
【請求項９】
請求項８に記載のカプセル型医療装置システムにおいて、
前記カプセル型医療装置が、前記電極を複数備え、
前記制御手段が、前記位置情報に基づいて、前記複数の電極から電流を供給する電極を選択することを特徴とするカプセル型医療装置システム。
【請求項１０】
請求項９に記載のカプセル型医療装置システムにおいて、
前記位置検出手段が、前記位置情報に基づいて、蠕動運動の方向を検出し、
前記制御手段が、検出された前記蠕動運動の方向に基づいて、前記電流を供給する電極を選択することを特徴とするカプセル型医療装置システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項４に係る発明は、請求項１に記載のカプセル型医療装置システムにおいて、前記カプセル型医療装置システムが、生体外に設置する体外装置を備え、前記カプセル型医療装置と前記体外装置の、少なくともいずれか一方に物理量を発する発信部を備え、他方に前記発信部から発せられた物理量を検知する検知部を備え、前記位置検出手段が、前記検知部が検知した物理量を用いて前記カプセル型医療装置の生体内での位置を検出するカプセル型医療装置システムを提供する。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
請求項５に係る発明は、請求項１に記載のカプセル型医療装置システムにおいて、前記カプセル型医療装置システムが、生体外に設置する体外装置を備え、前記カプセル型医療装置が、体内加速度センサを備え、前記体外装置が、体外加速度センサを備え、前記位置検出手段が、前記体内加速度センサと前記体外加速度センサの差分により、前記カプセル型医療装置の生体内での位置を検出するカプセル型医療装置システムを提供する。
【手続補正１２】
【補正対象書類名】明細書
【補正対象項目名】００２４
【補正方法】変更
【補正の内容】
【００２４】
請求項６に係る発明は、請求項１に記載のカプセル型医療装置システムにおいて、前記位置検出手段が、設定部を備え、前記設定部に、生体内で前記カプセル型医療装置が目的部位に達するまでに必要なパラメータが予め設定されているカプセル型医療装置システムを提供する。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】変更
【補正の内容】
【００３４】
請求項７に係る発明は、請求項１から６のいずれか１項に記載のカプセル型医療装置システムにおいて、前記カプセル型医療装置が、生体組織に密着するように拡張又は収縮可能なバルーンを備え、前記電極が、前記バルーンの外表面に設けられ、前記制御手段が、前記位置情報に基づいて前記バルーンを拡張又は収縮させるカプセル型医療装置システムを提供する。
【手続補正２２】
【補正対象書類名】明細書
【補正対象項目名】００３６
【補正方法】変更
【補正の内容】
【００３６】
請求項８に係る発明は、請求項１から７のいずれか１に記載のカプセル型医療装置システムにおいて、前記制御手段が、前記位置情報に基づいて、前記電極への電流の供給又は停止を制御するカプセル型医療装置システムを提供する。
請求項９に係る発明は、請求項８に記載のカプセル型医療装置システムにおいて、前記カプセル型医療装置が、前記電極を複数備え、前記制御手段が、前記位置情報に基づいて、前記複数の電極から電流を供給する電極を選択するカプセル型医療装置システムを提供する。
請求項１０に係る発明は、請求項９に記載のカプセル型医療装置システムにおいて、前記位置検出手段が、前記位置情報に基づいて、蠕動運動の方向を検出し、前記制御手段が、検出された前記蠕動運動の方向に基づいて、前記電流を供給する電極を選択するカプセル型医療装置システムを提供する。
【手続補正２３】
【補正対象書類名】明細書
【補正対象項目名】００３７
【補正方法】削除
【補正の内容】